(57)【要約】【課題】イカに確実に引っ掛かるヤエンの提供。【解決手段】このヤエン２０は、前本体２１及び後本体２２とを有し、上下に屈曲可能となっている。後本体２２に第１釣糸挿通部２６及び第２釣糸挿通部２７が設けられている。前本体２１は、後本体２２の長手方向に延びる倒伏姿勢と、上方へ屈曲した起立姿勢との間で姿勢変化可能である。前本体２１の先端部に掛針７７〜７９が設けられている。前本体２１の後端部に屈曲部７１が設けられている。屈曲部７１に後方への外力が加わると、前本体２１は直ちに起立姿勢へと変化する。前本体２１は、常時は、自重の作用により倒伏姿勢が維持される。前本体２１は。０．４Ｎｃｍ以下のモーメントによって姿勢変化する。前本体２１の起立角度を規制するリング部材３１が設けられている。【選択図】図１
2007202438.tif 000002
【特許請求の範囲】
【請求項１】
線状に形成された後本体と、
上方に突出するように後本体に設けられ、釣糸が長手方向に沿ってスライド自在に挿通される釣糸挿通部と、
後本体の長手方向に延びる倒伏姿勢と後本体に対して上方へ起立する起立姿勢との間で姿勢変化すると共に常時は自重によって倒伏姿勢となるように中間部が後本体の先端に回動自在に連結された前本体と、
前本体の先端部に上方に突出するように設けられた掛針と、
上方に突出するように前本体の後端に設けられ、後本体が釣糸に沿って当該釣糸の先端側へスライドし、当該釣糸の先端に設けられた餌が当接することによって前本体を起立姿勢へ変化させる姿勢変化支援部材とを備えたイカ釣用ヤエン。
【請求項２】
０．１Ｎｃｍ以上０．４Ｎｃｍ以下のモーメントによって上記前本体が倒伏姿勢から起立姿勢へ変化するように当該前本体部の中間部の位置が設定されている請求項１に記載のイカ釣用ヤエン。
【請求項３】
上記起立角度を一定範囲に規制する回動規制部がさらに設けられている請求項１又は２に記載のイカ釣用ヤエン。
【請求項４】
釣糸に沿って水中を移動する後本体の姿勢を安定させるための姿勢安定部材がさらに設けられている請求項１から３のいずれかに記載のイカ釣用ヤエン。
【請求項５】
上記後本体は、中間部で上下方向に屈曲可能に形成されている請求項１から４のいずれかに記載のイカ釣用ヤエン。
【発明の詳細な説明】
【技術分野】
【０００１】
本発明は、イカ釣りに使用されるヤエンの構造に関するものである。
【背景技術】
【０００２】
イカ釣りにおいて、ヤエンと称される掛け針を用いた釣法（ヤエン釣法）が知られている。従来のヤエンの構造は、図１０に示すようなものである。
【０００３】
同図が示すように、ヤエン釣法では、生きているベイトフィッシュ１が使用される。釣人は、このベイトフィッシュ１をロッド及びリールを用いてキャストし、海中を泳がせることによってイカ２のバイトを誘う。ベイトフィッシュ１にイカ２がバイトすると、ヤエン３が投入される。ヤエン３は、ベイトフィッシュ１が取り付けられた釣糸４に引っ掛けられて海中へ誘導される。ヤエン３は、ベイトフィッシュ１の位置までスライドされ、ヤエン３の先端部に設けられた掛針５、６がイカ２に掛かるようになっている。ヤエン３は、金属製の本体７を備えており、この本体７の先端部に上記掛針５、６が取り付けられ、中央部ないし後端部に一対の釣糸ガイド８、９が設けられている。この釣糸ガイド８、９が釣糸４に引っ掛けられることにより、ヤエン２が釣糸３に沿ってスライドするようになっている。なお、ヤエン３が円滑にスライドするために、本体７に重錘１０が設けられている。
【０００４】
ところで、釣人がイカ２を確実に取り込むためには、掛針５、６が確実にイカ２に掛かることが必要であるが、同図が示すように、一般に、ヤエン３がイカ２に到達した時点では、釣糸４の角度その他の種々の要因から掛針５、６とイカ２との距離ｄが大きくなる傾向にあり、このことが原因となってイカが逃げてしまうことが少なくない。そのため、上記距離ｄを小さくするために従来から種々の改良が試みられている（例えば、特許文献１〜特許文献９参照）。
【０００５】
【特許文献１】特開２００２−３２０４３３号公報
【特許文献２】実用新案登録第３０８２３０８号公報
【特許文献３】特開２００５−１１０５７８号公報
【特許文献４】特許第３５８０７９９号公報
【特許文献５】特開２００３−３２５０８６号公報
【特許文献６】実用新案登録第３０８７３２６号公報
【特許文献７】特開２００３−２４５０２８号公報
【特許文献８】特開２００３−２３９３６号公報
【特許文献９】特開２００２−５１６７６号公報
【発明の開示】
【発明が解決しようとする課題】
【０００６】
ヤエン３は一般に同図が示すような一直線状に形成されているために、上記距離ｄが大きくなってしまう。実釣において釣人は、ヤエン３が同図に示す位置に到達したと判断したときに釣竿を操作して釣糸４のテンションを緩める。釣糸４が撓むと錘１０が急速に沈下し、ヤエン３は、釣糸ガイド８を支点として同図において時計回りに回動する。これにより、掛け針５、６とイカ２との距離ｄが小さくなり、ヤエン３が確実にイカ２に引っ掛かる。ところが、イカ２の近傍に到達したヤエン３を前述のように操作するためには熟練が必要であり、一般に釣人は、ヤエン３の操作に失敗し、イカ２を逃がしてしまう。
【０００７】
このため、従来では、本体７が長手方向に二分割され、掛け針５、６が設けられた前部分が上方へ（イカ２側へ）回動することができるようになっているヤエンが提供されている。この前部分が後部分に対して回動自在に設けられることによって、掛け針５、６がイカ２に掛かった場合は、水面に対する釣糸４の角度θが大きくなったとしても、掛け針５、６がイカ２から外れにくく、したがって、イカ２を取り込みやすくなる。しかしながら、釣人にとって掛け針５、６をイカ２に掛けるまでの動作は従来とかわらず、熟練が必要である。
【０００８】
本発明はかかる背景のもとになされたものであり、ヒットしたイカに確実に引っ掛かるヤエンを提供することである。
【課題を解決するための手段】
【０００９】
(1) 上記目的が達成されるため、本発明に係るイカ釣り用ヤエンは、線状に形成された後本体と、上方に突出するように後本体に設けられ、釣糸が長手方向に沿ってスライド自在に挿通される釣糸挿通部と、後本体の長手方向に延びる倒伏姿勢と後本体に対して上方へ起立する起立姿勢との間で姿勢変化すると共に常時は自重によって倒伏姿勢となるように中間部が後本体の先端に回動自在に連結された前本体と、前本体の先端部に上方に突出するように設けられた掛針と、上方に突出するように前本体の後端に設けられ、後本体が釣糸に沿って当該釣糸の先端側へスライドし、当該釣糸の先端に設けられた餌が当接することによって前本体を起立姿勢へ変化させる姿勢変化支援部材とを備えている。
【００１０】
イカ釣りの実釣では、釣糸の先端に生き餌（典型的にはアジ）が連結され、これが海中に投入され泳がされる。この餌にイカがバイトすると、釣人は、イカ釣用ヤエンを投入する。具体的には、釣糸挿通部に釣糸を挿通し、当該釣糸に沿ってヤエンを海中に進入させる。このヤエンは、釣糸に沿ってスライドし、上記餌の位置に達する。ヤエンの前本体は常時においてその自重によって倒伏姿勢となっているから、海中に進入したヤエンは、釣糸に絡むことなく円滑にスライドし上記餌に達する。ヤエンが餌に達すると、当該餌が前本体の姿勢変化支援部材に当接し、これにより、前本体が起立姿勢となる。すなわち、前本体が後本体に対して屈曲し、上方へ跳ね上がる。これにより、前本体に設けられた掛針がイカに確実に引っ掛かる。ここで、従来のヤエンでは、釣人が釣糸を引っ張ると、ヤエンが釣糸挿通部を支点して回動し、掛針がイカから外れてしまう傾向にあった。しかし、本発明に係るヤエンでは、前本体が上方に屈曲して掛針がイカに引っ掛かっている状態でさらに釣糸が引っ張られると、相対的に上記餌が上記姿勢変化支援部材を押圧することになり、したがって、前本体が一層上方に屈曲して上記掛針がより確実にイカに引っ掛かる。また、後本体が前本体の中間部に連結されることから、前本体は、自重の作用を利用して姿勢変化することになる。したがって、前本体の姿勢を変化させるために錘その他ヤエンの重量が増加する手段が不要であり、その結果、ヤエンの軽量設計が可能である。
【００１１】
(2) ここで、０．１Ｎｃｍ以上０．４Ｎｃｍ以下のモーメントによって上記前本体が倒伏姿勢から起立姿勢へ変化するように当該前本体部の中間部の位置が設定されているのが好ましい。
【００１２】
この構成では、前本体は、常時は上記倒伏姿勢にあるが、上記姿勢変化支援部材に小さな力が作用しただけで上記起立姿勢に変化することになる。したがって、海中に進入したヤエンが上記餌に到達し、この餌が姿勢変化支援部材に接触すると直ちに前部材が跳ね上がってイカに引っ掛かる。
【００１３】
(3) 上記起立角度を一定範囲に規制する回動規制部がさらに設けられているのが好ましい。
【００１４】
これにより、前本体は極端に上方に跳ね上がることが規制される。したがって、掛針がイカに確実にフッキングすることができると共にイカから容易に外れることが防止される。
【００１５】
(4) 釣糸に沿って水中を移動する後本体の姿勢を安定させるための姿勢安定部材がさらに設けられてもよい。
【００１６】
ヤエンは海中を進むものであるから、海水の抵抗が大きい。仮に海中を進む前本体又は後本体の回りに強い乱流が発生すると、ヤエンが迅速に上記餌まで到達することができなくなるおそれがある。本発明では、上記姿勢安定部材が設けられているから、水中を移動する後本体の姿勢が安定し、したがって、ヤエンは、素早く上記餌に達することができる。
【００１７】
(5) 上記後本体は、中間部で上下方向に屈曲可能に形成されていてもよい。
【００１８】
釣人が釣糸を巻き取ってイカを寄せてきた場合には、釣糸と海面との角度が大きくなる。このため、ヤエンが釣糸挿通部を中心にして回動し、ヤエンがイカから外れやすくなってしまう傾向にある。しかし、本発明では、後本体が上方向に屈曲することにより、前本体に設けられた掛針がイカから外れることが防止される。
【発明の効果】
【００１９】
この発明によれば、イカ釣用ヤエンがイカに到達すれば直ちに屈曲して掛針がイカに引っ掛かり、しかも一旦イカに引っ掛かったヤエンは、容易に外れることはない。したがって、釣人は、ヒットしたイカを確実に取り込むことができる。
【発明を実施するための最良の形態】
【００２０】
以下、適宜図面が参照されつつ、好ましい実施形態に基づいて本発明が詳細に説明される。
【００２１】
＜第１の実施形態＞
【００２２】
図１は、本発明の第１の実施形態に係るイカ釣用ヤエン（以下、単に「ヤエン」と称される。）の斜視図である。
【００２３】
同図が示すように、このヤエン２０は、前本体２１と後本体２２とを備えており、後本体２２の先端部２３が前本体２１の中間部２４に連結されている。本実施形態に係るヤエン２０の特徴とするところは、後述のように前本体２１と後本体２２とが連結されている点であり、これにより、ヤエン２０がきわめて簡単に屈曲されるようになっている点である。そして、実釣において、ヤエン２０が後述の要領で屈曲されることにより、確実にイカに引っ掛かるようになっている。
【００２４】
後本体２２は、主軸部２５と、第１釣糸挿通部２６及び第２釣糸挿通部２７とを備えている。
【００２５】
主軸部２５は、例えば線状のステンレス鋼から構成されている。このステンレス鋼の線径は、０．５ｍｍ〜２．０ｍｍ程度に設定され得る。もっとも、主軸部２５を構成する材料はステンレス鋼に限定されるものではなく、防錆処理が施された種々の金属のほか樹脂も採用され得る。後本体２２の先端部２３、すなわち主軸部２５の先端部２３は、同図が示すように当該主軸部２５の長手方向に直交する方向に屈曲されている。この先端部２３は、後述される支持パイプ２８に嵌め込まれている。
【００２６】
本実施形態では、主軸部２５に錘２９が設けられている。この錘２９は、鉛からなり、同図が示すように紡錘形に形成されている。錘２９を構成する材料は、鉛に代えてタングステン、真鍮その他の比重の大きい金属が採用されてもよい。この錘２９に軸方向に延びる貫通孔（不図示）が設けられている。主軸部２５は、この貫通孔に挿通されており、これにより、錘２９は、主軸部２５に沿って長手方向にスライド自在となっている。ただし、主軸部２５の後方にスライド規制部３０が設けられている。このスライド規制部３０は、円柱状に形成されており、その中心が主軸部２５の中心と一致するように固定されている。このスライド規制部３０は、錘２９よりも前方に配置されており、スライド規制部３０の外形寸法は、錘２９に設けられた貫通孔の内径寸法よりも大きく設定されている。したがって、錘２９は、スライド規制部３０を挿通させることができず、主軸部２５の後端との間でのみスライドすることができるようになっている。
【００２７】
さらに、主軸部２５の前方にリング部材３１（回動規制部）が設けられている。このリング部材３１も主軸部２５と同様の材料から構成されている。このリング部材３１は、同図が示すように上下方向に延びる細長環状に形成されている。上記前本体２１は、このリング部材３１に挿通されている。このリング部材３１が設けられることによる作用効果については後述される。
【００２８】
第１釣糸挿通部２６は、主軸部２５の後端に連続して一体的に形成されている。したがって、この第１釣糸挿通部２６も主軸部２５と同様の材料から構成されている。第１釣糸挿通部２６は、主軸部２５に連続し、上方へ延びる延設部３２と、この延設部３２の先端に設けられた糸係合部３３とを有する。延設部３２は、主軸部２５に略直交しており、この延設部３２の先端部が環状に巻回されることによって糸係合部３３が形成されている。したがって、釣糸３４は、糸係合部３３の巻回方向に沿って当該糸係合部３３に巻き掛けられることによって容易に糸係合部３３内に進入することができると共に、当該巻回方向と逆方向に巻回されない限り容易に糸係合部３３から外れてしまうことがない。釣糸３４が糸係合部３３に挿入されると、釣糸３４は、糸係合部３３に対して長手方向に円滑にスライドすることが可能である。
【００２９】
第２釣糸挿通部２７は、ローラ支持部３５とガイド部３６とを備えている。ガイド部３６は、主軸部２５と同様の材料で構成されており、第１脚部３７、ガイドリング３８及び第２脚部３９を有する。第１脚部３７及びガイドリング３８は、一体的に形成されており、線状のステンレス鋼が屈曲されることにより構成されている。具体的には、略Ｌ字状に形成された第１脚部３７の上方に連続して、上記ステンレス鋼が環状に巻回されることによってガイドリング３８が形成されている。したがって、釣糸３４は、ガイドリング３８の巻回方向に沿って当該ガイドリング３８に巻き掛けられることによって容易にガイドリング３８内に進入することができると共に、当該巻回方向と逆方向に巻回されない限り容易にガイドリング３８から外れてしまうことがない。釣糸３４がガイドリング３８に挿入されると、釣糸３４は、ガイドリング３８に対して長手方向に円滑にスライドすることが可能である。また、第２脚部３９は第１脚部３７と同様に線状のステンレス鋼からなり、主軸部２５とガイドリング３８の近傍とを連結している。
【００３０】
図２は、図１における部分拡大斜視図であって、ローラ支持部３５の構造を詳細に示している。また、図３は図２におけるＡ−矢視図であり、図４は、図３におけるIV−IV断面図である。
【００３１】
ローラ支持部３５は、図２が示すように、プーリ機構４１を有している。プーリ機構４１は、プーリ４４と、プーリ４４を後述する支持機構４５を介して支持する支持フレーム４６とを有している。支持フレーム４６は、フレーム本体４７と脚部４８とを有する。脚部４８は、主軸部２５と同様の材料からなる。脚部４８は、略L字状に形成されており、一端部が主軸部２５に固定されている。本実施形態では、脚部４８は、同図が示すように、例えばかしめ部材４９を用いて主軸部２５にかしめられている。なお、このかしめ部材４９は、脚部４８を上記ガイド部３６の第１脚部３７と共に主軸部２５に固定している。また、この脚部４８の他端部は、フレーム本体４７に固着されている。当該固着構造については後述される。
【００３２】
フレーム本体４７は、例えばステンレス鋼（ＳＵＳ３０４）や樹脂により構成されている。フレーム本体４７は、図３が示すように本体上部５０と本体下部５１とを有し、これらが一体的に形成されている。本体下部５１は、図３及び図４が示すように、図中右側部分が中空構造に形成されており、図中左側が中実構造に形成されている。そして、上記脚部４８の他端部は、本体下部５１の図中右側から本体下部５１に挿入され、本体下部５１の中実部分を貫通している。これにより、脚部３８の他端部が本体下部５１に固定されている。
【００３３】
本体上部５０は、断面形状が略コ字状となるように形成されており、一対の側板５２、５３を有している。プーリ４４は、この側板５３に支持されている。側板５２は、側板５３よりも高さ寸法が小さく設定されている。図３が示すように、側板５２の上縁は、側板５３に支持されたプーリ４４の周面に沿うように円弧状に形成されている。そして、この側板５２の上縁とプーリ４４の周面との間に、隙間５４が形成されている。この隙間５４は、後述するように釣糸３４が挿通されるためのものであり、その寸法は釣糸３４の太さに対応させて適宜設定される。
【００３４】
また、側板５２の上縁には、図４が示すようにＣ面５５が形成されている。これにより、側板５２の上縁は、側板５２の外側に向かって開いた傾斜面となっている。さらに、側板５２の外側面５６は、プーリ４４の外側面５７と同一面上に存在している。上記Ｃ面５５の機能及び側板４２とプーリ４４とが同一面上に配置されていることによる作用効果については、後述される。
【００３５】
側板５３は、プーリ４４の軸方向に沿って側板５２と対向配置されており、図４が示すように、プーリ４４の外側面５８側に配置されている。側板５３には、ピン挿通孔５９が設けられている。このピン挿通孔５９は、後述する支持ピン６０が挿通支持されるようになっている。
【００３６】
プーリ４４は、例えばポリアセタール（ＰＯＭ）等により構成されている。図４が示すように、プーリ４４は、略Ｖ字状の溝６１が形成されている。ヤエン３０が釣糸３４に係合するときは、釣糸３４が溝６１に嵌り込むようになっている。また、プーリ４４の周面に、Ｃ面６８が形成されている。このＣ面５８の機能については後述される。
【００３７】
プーリ４４は、支持機構４５によって上記フレーム本体４７に支持されている。支持機構４５は、上記支持ピン６０と、ブシュ６２と、軸受６３と、スペーサ６４とを有している。
【００３８】
軸受６３は、本実施形態ではボール軸受が採用されている。図４が示すように、軸受６３の外輪は、プーリ４４の内側に嵌め込まれている。ブシュ６２は、例えばステンレス鋼（ＳＵＳ３０４）等により構成されている。ブシュ６２は、円筒状に形成されており、軸受６３の内輪の内側に嵌め込まれている。ブシュ６２の内面には、雌ねじが形成されている。また、スペーサ６４は、例えばステンレス鋼（ＳＵＳ３０４）等により構成されている。スペーサ６４は、リング状に形成されており、フレーム本体４７の側板５３と軸受６３との間に介在され、軸受６３の位置決めを行っている。支持ピン６０は、例えばステンレス鋼（ＳＵＳ３０４）等により構成されている。支持ピン６０の軸部には雄ねじが形成されている。支持ピン６０は、上記側板５３の外側から上記ピン挿通孔５９に挿通され、スペーサ６４及びブシュ６２を貫通している。支持ピン６０の雄ねじとブシュ６２の雌ねじが噛み合っており、支持ピン６０が締め込まれることによって軸受６３、ブシュ６２及びスペーサ６４と共にプーリ４４が片持ち状に支持される。このようにプーリ４４が支持されることによって、プーリ４４は、支持ピン６０を中心として回転自在となっている。
【００３９】
図１が示すように、前本体２１は、例えば線状のステンレス鋼から構成されている。このステンレス鋼の線径は、０．５ｍｍ〜２．０ｍｍ程度に設定され得る。もっとも、前本体２１を構成する材料はステンレス鋼に限定されるものではなく、防錆処理が施された種々の金属のほか樹脂も採用され得る。前本体２１は、真直に延びる主軸部７０と、この主軸部７０の後端に連続し、上方へ延びる屈曲部７１（姿勢変化支援部材）とを有する。本実施形態では、これら主軸部７０及び屈曲部７１は、単一のステンレス鋼が屈曲されることにより構成されているが、両者が別部材として構成され、既知の固着手段によって固着されていても良いことは勿論である。詳述すれば、主軸部７０の後端部は、当該主軸部７０の長手方向に直交する方向（同図では手前方向）に膨出された膨出部７２が形成され、さらにこの膨出部７２に連続し、主軸部７０と直交するように手先方向に延びる交差部７３が形成されている。そして、この交差部７３に連続して上記屈曲部７１が形成されている。
【００４０】
屈曲部７１は、上方へ延びる脚部７４と、この脚部７４の先端に設けられた糸係合部７５とを有する。この糸係合部７５は、脚部７４の上部が環状に巻回されることによって形成されている。したがって、釣糸３４は、糸係合部７５の巻回方向に沿って当該糸係合部７５に巻き掛けられることによって容易に糸係合部７５内に進入することができると共に、当該巻回方向と逆方向に巻回されない限り容易に糸係合部７５から外れてしまうことがない。釣糸３４が糸係合部７５に挿入されると、釣糸３４は、糸係合部７５に対して長手方向に円滑にスライドすることが可能である。
【００４１】
前本体２１の中間部２４に上記支持パイプ２８が取り付けられている。前述のように、後本体２２の先端部２３は、この支持パイプ２８に挿通支持されており、これにより、前本体２１が後本体２２に対して屈曲する。支持パイプ２８が上記中間部２４に位置することから、前本体１２は、その重心位置よりも若干後方の位置を後本体に２２によって支持されることになる。具体的には、前本体２１の全長をＬとすれば、その先端から０．６Ｌ〜０．７Ｌの位置に上記支持パイプ２８が取り付けられている。これにより、前本体２１は、自重の作用によって常時支持パイプ２８を中心として図１において矢印７６の方向に回転する。前本体２１が矢印７６の方向に回転すると、前本体２１の交差部７３が後本体２２の主軸部２５に当接し、前本体２１は、常に上記倒伏姿勢となる。なお、本実施形態では、上記交差部７３が後本体２２に当接することによって前本体２１の矢印７６の方向への回動が規制されるようになっているが、前本体２１を倒伏姿勢に維持するために前本体２１の回動規制を行う手段としては、他の種々のものが採用され得る。
【００４２】
前本体２１は、前述のように、その重心近傍を後本体２２に支持されているから、支持パイプ２８を中心とする小さなモーメントが前本体２１に作用した場合であっても、前本体２１は直ちに上記矢印７６と反対方向に回転し、図６が示すような姿勢（起立姿勢）に変化する。もっとも、支持パイプ２８を中心とするモーメントの作用が無くなれば、前本体２１は再び倒伏姿勢に復帰する。支持パイプ２８が上記中間部２４に位置することから、前本体２１が倒伏姿勢から起立姿勢へと変化するために必要なモーメントは、０．２Ｎｃｍ程度である。ただし、このモーメントは、上記中間部２４の位置が変更されることにより、０．１Ｎｃｍ〜０．４Ｎｃｍに設定され得る。ただし、上記モーメントは、０．３Ｎｃｍ以下に設定されるのがより望ましい。
【００４３】
前本体２１の先端部、すなわち主軸部７０の先端部に掛針７７〜７９が設けられている。本実施形態では３つの掛針７７〜７９が設けられているが、この数量は特に限定されるものではない。各掛針７７〜７９は上方に突出するように配置されている。これにより、掛針７７〜７９は、イカに引っ掛かりやすくなっている。一般に、掛針の数が多くなれば、上記支持パイプ２８は、上記中間部２４よりも前方に取り付けられ、また、掛針の数が少なくなれば、上記支持パイプ２８は、上記中間部２４よりも後方に取り付けられ、このように支持パイプ２８の取付位置が調整されることにより、前述のように、０．２Ｎｃｍ程度のモーメントによって前本体２１が起立姿勢に変化するように設定されている。ただし、前述のように、前本体２１は、０．１Ｎｃｍないし０．４Ｎｃｍのモーメントにより姿勢変化するように設定され得るから、上記支持パイプ２８は、具体的には、最後端の掛針（本実施形態では、掛針７９）から１０ｍｍ以上後方であって、且つ上記屈曲部７１の基端である交差部７３から１０ｍｍ以上前方の領域に取り付けられる。言い換えれば、当該領域に上記支持パイプ２８が配置されることにより、上記前本体２１に０．４Ｎｃｍ以下のモーメントが作用し、当該前本体２１は、起立姿勢へと変化することができる。
【００４４】
本実施形態に係るヤエン２０は、イカ釣りの実釣において次のようにして使用される。図５及び図６は、本実施形態に係るヤエン２０の使用要領を示す模式図である。
【００４５】
まず、釣人は、釣糸３４の先端に餌としてアジ８０を生きたまま取り付け、これを海中へ投入し泳がせる（図１参照）。イカがアジに食いついけば、図５が示すように、釣人は、釣糸３４をヤエン２０の第１釣糸挿通部２６及び第２釣糸挿通部２７に挿通すると共に、前本体２１の糸係合部７５にも釣糸３４を挿通する。これにより、ヤエン２０は、釣糸３４に沿って海中に進入し、上記アジ８０の位置に達する（図６参照）。ヤエン２０の前本体２１は常時において倒伏姿勢となっているから、海中に進入したヤエン２０は、図５が示すように釣糸３４に絡むことなく円滑にスライドしてアジ８０に達する。
【００４６】
図６が示すように、ヤエン２０がアジ８０に達すると、アジ８０が相対的に前本体２１の屈曲部７１に当接する。前述のように、前本体２１は、その中間部２４に配置された支持パイプ２８（図１参照）を中心とするモーメントが作用した場合に、当該モーメントがきわめて小さい場合であっても直ちに起立姿勢に変化するから、アジ８０が屈曲部７１に当接すれば、前本体２１は素早く起立姿勢へと変化する。すなわち、前本体２１が後本体２２に対して屈曲し、図６が示すように上方へ跳ね上がる。これにより、掛針７７〜７９がイカ８１に確実に引っ掛かる。
【００４７】
従来のヤエンでは、この状態において釣人が釣竿を操作して釣糸３４をさらに引っ張ると、ヤエン２０が第２釣糸挿通部２７を支点して回動し、掛針７７〜７９がイカ８１から外れてしまう傾向にあった。しかし、本実施形態に係るヤエン２０では、前本体２１が起立姿勢にあるときに釣糸３４が引っ張られたとしても、アジ８０が相対的に屈曲部７１を押圧することになり、したがって、前本体２１が当該起立姿勢を維持する。つまり、前本体２１が一層上方に屈曲して掛針７７〜７９がより確実にイカ８１に引っ掛かる。このように、本実施形態に係るヤエン２０は、イカ８１に確実に引っ掛かり、しかも一旦イカ８１に引っ掛かっかれば容易に外れることはない。したがって、釣人は、ヒットしたイカ８１を確実に取り込むことができる。加えて、本実施形態に係るヤエン２０では、前本体２１の自重の作用を利用して当該前本体２１が倒伏姿勢を維持し、しかも迅速に起立姿勢へと変化することができるので、前本体２１の姿勢変化を支援する錘等が不要である。したがって、ヤエン２０は、軽量設計が可能である。軽量化されたヤエン２０は、イカ８１に対して違和感を与えず、またいわゆる根掛かりがしにくくなるという利点がある。
【００４８】
特に、本実施形態では、前本体２１は、０．４Ｎｃｍ以下のモーメントが作用することによって起立姿勢へと変化するから、海中に進入したヤエン２０がアジ８０に到達すると瞬時に跳ね上がってイカ８１に引っ掛かる。これにより、ヤエン２０は、一層確実にイカ８１に引っ掛かり、釣人は、より高い確率でイカ８１を取り込むことができるという利点がある。
【００４９】
また、本実施形態では、後本体２２に上記リング部材３１が設けられている。前本体２１の主軸部７０は、このリング部材３１に挿通されているから、前本体２１が起立姿勢へと変化すると、前本体２１の主軸部７０がリング部材３１の下端に当接する。したがって、前本体２１が起立姿勢となった場合であっても、図６が示すように極端に上方に跳ね上がることが規制される。そのため、掛針７７〜７９がイカ８１に確実にフッキングすることができると共に、掛針７７〜７９がイカ８１から容易に外れることがより確実に防止されるという利点がある。
【００５０】
なお、本実施形態では、釣糸３４に沿ってヤエン２０がスライドする際に、釣糸３４は、プーリ４４に巻き掛けられ、当該プーリ４４を介して釣糸３４に支持されることとなる。つまり、釣糸３４と第２釣糸挿通部２７とが転がり接触し、ヤエン２０はきわめて円滑に海中へ誘導されるという利点がある。また、第２釣糸挿通部２７は、ガイドリング３８を備えているから、釣糸３４は確実にプーリ３４と係合し、容易に外れることはない。したがって、実釣において、風や波等によってヤエン２０に予定されない外力が加わった場合であっても、ヤエン２０は、釣糸３４から脱落することがない。しかも、ガイドリング３８は、プーリ４４の径方向に延びているから（図１参照）、ヤエン２０が海中へ誘導されるときに、釣糸３４がプーリ４４の径方向にずれた場合であっても、すなわち、図５においてヤエン２０が下方へ傾斜した場合であっても、釣糸３４がプーリ４４から外れることが防止される。
【００５１】
また、上記プーリ４４を支持するプーリ機構４１は、図４が示すようにプーリ４４を軸受６３を介して回転自在に支持しているから、プーリ４４は、きわめて円滑に回転することができる。これにより、ヤエン２０は、釣糸３４に沿って一層円滑に移動することができ、ヒットしたイカ８１までの距離が大きい場合であっても、ヤエン２０は確実にイカ８１に到達することができるという利点がある。特に、軸受６３は、アンチラストベアリングが採用されるのが好ましい。アンチラストベアリングは、海水等に対してきわめて高い耐腐食性がある。したがって、プーリ４４は、ベアリングの腐食に起因して回転性能が低下することがなく、長期にわたって円滑な回転が可能となる。なお、本実施形態では、軸受６３としてボール軸受が採用されているが、これに限定されるものではなく、すべり軸受等が採用されていてもよい。
【００５２】
さらに、釣糸３４がプーリ４４に係合されるときは、プーリ４４と支持フレーム４６との隙間５４からプーリ４４の溝６１へ導入される。支持フレーム４６のフレーム本体４７は、図３が示すように、プーリ４４の周面に沿って湾曲されているが、支持フレーム４６に上記Ｃ面５５が形成されているから、釣糸３４は、上記隙間４４からプーリ３４内へ簡単に導入される。しかも、フレーム本体４７が前述のように湾曲され、しかもプーリ４４の周面と対向配置されているから、釣糸３４が一旦プーリ４４の溝６１へ導入された後は、簡単にプーリ３４から外れることはない。加えて、本実施形態では、プーリ４４の周面に上記Ｃ面６８（図４参照）が設けられているので、釣糸３４はプーリ４４内に一層容易に挿入されると共に、プーリ４４から一層外れにくくなる。
【００５３】
＜第２の実施形態＞
【００５４】
次に、本発明の第２の実施形態について説明される。
【００５５】
図７は、本発明の第２の実施形態に係るイカ釣用ヤエンの斜視図である。
【００５６】
本実施形態に係るヤエン８５が上記第１の実施形態に係るヤエン２０と異なるところは、ヤエン８５が海中を進行するときにその姿勢を安定させるための姿勢安定部材８６が設けられている点、及び後本体２２が長手方向に二分割されており、上下方向に屈曲可能となっている点である。なお、その他の構成については、上記ヤエン２０と同様である。
【００５７】
姿勢安定部材８６は、ステンレス鋼等の耐腐食性の高い金属や樹脂からなる。本実施形態では、姿勢安定部材８６は、後本体２２に設けられている。具体的には、姿勢安定部材８６は、三角形の薄肉板状に形成されており、ガイド部３６の第１脚部３７と第２脚部３９との間に嵌め込まれ、固定されている。
【００５８】
後本体２２は、その略中央部（中間部）で二分割されており、前部８７及び後部８８を有する。前部８７の後端部８９は、上記先端部２３と同様に主軸部２５の長手方向に直交する方向に屈曲されている。また、後部８８の所定位置に支持パイプ９０が設けられている。この支持パイプ９０は、前本体２１に設けられた支持パイプ２８と同様の構成である。前部８７の後端部８９は、この支持パイプ９０に回動自在に嵌め込まれている。したがって、後部８８は、前部８７に対して矢印９１の方向に回動し、上下方向に屈曲可能となっている。ただし、後部８８に上記錘２９が設けられているので、後部８８は常時は同図において時計回りに回動する。この後部８８の先端に当接部９２が設けられており、後部８８が時計回りに回動することによって当接部９２が前部８７に下方から当接する。これにより、後部８８は、図７が示すように前部８７に対して真直な姿勢となる。なお、本実施形態では、後本体２２が略中央部で二分割されているが、分割位置は、他の位置に設定されていてもよい。その場合、仮に上記錘２９が設けられていなくても、後部８８が自重の作用によって常時前部８７に対して真直な姿勢となるように、上記分割位置が設定されるのが好ましい。
【００５９】
本実施形態に係るヤエン８５は、姿勢安定部材８６が設けられているから海中での姿勢が安定する。ヤエン８５は海中に投入されると、アジ８０に到達するまで海中を進むものであり、海水の抵抗が大きい。仮に海中を進むヤエン８５の周り、例えば前本体２１又は後本体２２の周囲に強い乱流が発生すると、ヤエン８５が減速され、迅速にアジ８０まで到達することができなくなるおそれがある。しかし、本実施形態に係るヤエン８５では、上記姿勢安定部材８６によってヤエン８５の周囲の海水が整流される。特に、この姿勢安定部材８６が後本体２２に設けられているから、海中を移動する後本体２２の姿勢が安定し、ヤエン８５は、素早くアジ８０に到達してイカ８１に引っ掛かる。なお、本実施形態では、姿勢安定部材８６が後本体２２に設けられているが、前本体２１に設けられていてもよい。要するに、ヤエン８５が海中を進む際に当該ヤエン８５の周囲の海水を整流してヤエン８５の姿勢を安定させることができる位置に姿勢安定部材８６が配置されていればよい。
【００６０】
図８は、本実施形態に係るヤエン８５の使用状態を示す模式図である。
【００６１】
このヤエン８５では、後本体２２が二分割されており、後本体２２の後部８８が上下方向に屈曲可能となっている。釣人がヤエン８５を海中に投入し、リールを使用して釣糸３４を巻き取ることにより、イカ８１を手前側へ寄せる。この場合、同図が示すように、釣糸３４と海面との角度θが大きくなる。このため、仮に後本体２２が分割されていなければ、ヤエン８５がプール４４を支点として反時計方向に回動しやすくなる。つまり、掛針７７〜７９がイカ８１から外れやすくなる。しかし、本実施形態に係るヤエン８５では、上記角度θが大きくなるに伴って後部８８が同図が示すように上方向に屈曲することができ、これにより、一旦イカ８１に引っ掛かった掛針７７〜７９がイカ８１から外れにくくなるという利点がある。
【００６２】
図９は、上記各実施形態の変形例に係るヤエン１００の斜視図である。
【００６３】
上記各実施形態では、前本体２１の姿勢を倒伏姿勢から起立姿勢へと変化させるためのモーメントは、上記支持パイプ２８の取付位置が変更されることにより調整されていた。しかし、上記モーメントの調整は、上記支持パイプ２８の取付位置の調整のほか、同図が示すように、前本体２１の主軸部７０にバランスウェイト９３を設けることによって行われてもよい。具体的には、バランスウェイト９３は、前本体２１の主軸部７０と同様に線状のステンレス鋼から構成されており、これが上記交差部７３に接続され、当該主軸部７０の軸方向に沿って後方に延びている。このバランスウェイト９３が所定の長さに設定されることにより、上記モーメントが所望の値に調整される。なお、バランスウェイト９３が、上記主軸部７０の軸方向に伸縮可能に設けられていてもよい。バランスウェイト９３を伸縮させるための構造としては、ピストン・シリンダ構造が採用され得る。この場合には、実釣において釣人がバランスウェイト９３の長さを調整することによって上記モーメントを自由に調整することができる。
【００６４】
また、上記各実施形態では、上記支持パイプ２８は前本体２１の上側に取り付けられているが、同図が示すように、支持パイプ２８が前本体２１の下側に取り付けられていてもよいことは勿論である。なお、後本体２２の主軸部２５の先端部２３は、図１及び図７が示すように、当該主軸部２５の長手方向に対して右側に屈曲して形成されているが、当該先端部２３は、当該主軸部２５の長手方向に対して左側に屈曲して形成されていてもよい。
【産業上の利用可能性】
【００６５】
本発明は、イカ釣りに使用されるヤエンに適用され得る。
【図面の簡単な説明】
【００６６】
【図１】図１は、本発明の第１の実施形態に係るヤエンの斜視図である。
【図２】図２は、図１における部分拡大斜視図である。
【図３】図３は、図２におけるＡ−矢視図である。
【図４】図４は、図３におけるIV−IV断面図である。
【図５】図５は、本発明の第１の実施形態に係るヤエンの使用要領を示す模式図である。
【図６】図６は、本発明の第１の実施形態に係るヤエンの使用要領を示す模式図である。
【図７】図７は、本発明の第２の実施形態に係るヤエンの斜視図である。
【図８】図８は、本発明の第２の実施形態に係るヤエンの使用状態を示す模式図である。
【図９】図９は、本発明の各実施形態の変形例に係るヤエンの斜視図である。
【図１０】図１０は、従来のヤエンの構造を示す正面図である。
【符号の説明】
【００６７】
２０・・・ヤエン
２１・・・前本体
２２・・・後本体
２３・・・後本体の先端部
２４・・・前本体の中間部
２６・・・第１釣糸挿通部
２７・・・第２釣糸挿通部
３１・・・リング部材
７７・・・掛針
７８・・・掛針
７９・・・掛針
８０・・・アジ
８１・・・イカ
８５・・・ヤエン
８６・・・姿勢安定部材
８７・・・前部
８８・・・後部
８９・・・後端部
９３・・・バランスウェイト
１００・・・ヤエン
【図１】
2007202438.tif 000003
【図２】
2007202438.tif 000004
【図３】
2007202438.tif 000005
【図４】
2007202438.tif 000006
【図５】
2007202438.tif 000007
【図６】
2007202438.tif 000008
【図７】
2007202438.tif 000009
【図８】
2007202438.tif 000010
【図９】
2007202438.tif 000011
【図１０】
2007202438.tif 000012